(57)【要約】【課題】ミストに対してイオンをより多く帯電させることができるミスト発生装置を提供する。【解決手段】プラス電極板２０が、イオンノズル１４（イオン吐出口１４ａ）及びミストノズル９（ミスト吐出口９ｂ）と上下方向に沿って同一直線上に位置するようにミストノズル９の下部に並設されている。イオン吐出口１４ａから吐出されたマイナスイオンは、プラス電極板２０に引き付けられながら、ミスト吐出口９ｂから吐出されるミストの吐出方向ｍ１と交差する方向に向かって移動する。【選択図】図１
2010046415.tif 000002
【特許請求の範囲】
【請求項１】
ミストを発生させるミスト発生手段と、前記ミストを吐出するためのミスト吐出口と、イオンを発生させるイオン発生手段と、前記イオンを吐出するためのイオン吐出口とを備えたミスト発生装置において、
前記イオン吐出口から吐出されたイオンを前記ミスト吐出口から吐出されたミストに向かって移送させるイオン移送手段を設けたことを特徴とするミスト発生装置。
【請求項２】
前記イオン移送手段は、前記イオンとは逆の極性を有した逆極性電極部である請求項１に記載のミスト発生装置。
【請求項３】
前記逆極性電極部は、前記ミスト吐出口に繋がるミストノズル内に支持されるとともに、前記逆極性電極部の先端側が前記ミストノズル内から前記ミスト吐出口を介して外部へと露出されている請求項２に記載のミスト発生装置。
【請求項４】
前記逆極性電極部に流れる電荷量を検出する電荷量検出手段と、
前記電荷量検出手段の検出結果に応じて前記逆極性電極部に流れる電荷量を調整することによって前記イオン吐出口から吐出されるイオンを誘引する誘引力を調整する誘引力調整手段とを備えたことを特徴とする請求項２又は請求項３に記載のミスト発生装置。
【請求項５】
前記イオン移送手段は、前記イオン発生手段から発生されたイオンを前記イオン吐出口側に向かって送り出す風を送る送風手段であって、
前記送風手段は、前記イオン発生手段を構成するイオン放電部よりも上流側に設けられている請求項１に記載のミスト発生装置。
【請求項６】
前記イオン移送手段は、前記イオンと同じ極性を有した同一極性電極部であって、
前記同一極性電極部は、前記イオン発生手段を構成するイオン放電部よりも上流側に設けられている請求項１に記載のミスト発生装置。
【発明の詳細な説明】
【技術分野】
【０００１】
本発明は、ミストとイオンを異なる吐出口から吐出可能なミスト発生装置に関する。
【背景技術】
【０００２】
従来、使用者の肌にハリや潤いを与える目的で、マイナスイオンをミストに帯電させつつ、使用者に向けて吐出するミスト発生装置が使用されている。このようなミスト発生装置として、ヒータにより水を沸騰させて発生させたミスト（スチーム）と、コロナ放電により発生させたマイナスイオンとを使用者に向けて放出可能なミスト発生装置が提案されている（例えば、特許文献１）。特許文献１のミスト発生装置では、ミストを吐出させるミストノズルと、マイナスイオンを吐出させるイオンノズルが並設されているとともに、ミストノズルのミスト吐出口と、イオンノズルのイオン吐出口とが近接するように配置されている。そして、特許文献１では、ミストノズルの近傍に配設されたイオン吐出口からマイナスイオンを吐出することで、マイナスイオンとミストを混合し、マイナスイオンをミストに帯電させるようになっている。
【特許文献１】特開２００３−１５９３０５号公報
【発明の開示】
【発明が解決しようとする課題】
【０００３】
ところで、一般的に肌における角質層表面にマイナスの電荷を帯電させると、表皮顆粒層からセラミドなどの脂質成分が角質細胞間に放出される。そして、角質細胞間に放出されたセラミドが角質層表面に分散し角質細胞間を埋めることで、肌の表面からの水分の蒸散を防ぐことができ、肌のバリア機能が改善されることが知られている。
【０００４】
このセラミドの量は、肌における角質層表面に帯電させるマイナスの電荷の量が多ければ多いほど、表皮顆粒層から角質細胞間に多く放出される。セラミドの放出量が増えれば、角質層表面にセラミドがより一層分散されるとともに角質細胞間を埋めることで、肌の表面からの水分の蒸散をさらに防ぐことができ、肌のバリア機能が向上することが考えられる。すなわち、ミストに対してマイナスイオンをより多く帯電させることが考えられ、この点において、なお改善の余地を残すものとなっていた。
【０００５】
本発明の目的は、ミストに対してイオンをより多く帯電させることができるミスト発生装置を提供することにある。
【課題を解決するための手段】
【０００６】
上記課題を解決するために、請求項１に記載の発明は、ミストを発生させるミスト発生手段と、前記ミストを吐出するためのミスト吐出口と、イオンを発生させるイオン発生手段と、前記イオンを吐出するためのイオン吐出口とを備えたミスト発生装置において、前記イオン吐出口から吐出されたイオンを前記ミスト吐出口から吐出されたミストに向かって移送させるイオン移送手段を設けたことを要旨とする。
【０００７】
この発明によれば、イオン移送手段を設けたことにより、イオン吐出口から吐出されたイオンをミスト吐出口から吐出されたミストに向かって移送させることができ、イオン移送手段を設けないミスト発生装置と比べて、ミストに対してイオンをより多く帯電させることができる。
【０００８】
請求項２に記載の発明は、請求項１に記載の発明において、前記イオン移送手段は、前記イオンとは逆の極性を有した逆極性電極部であることを要旨とする。
この発明によれば、イオンが逆極性電極部に引き付けられながら、ミスト吐出口から吐出されるミストの吐出方向と交差する方向に向かって移動する。よって、イオン吐出口から吐出されるイオンが、ミスト吐出口から吐出されたミストのミスト雰囲気内へ誘引されるとともに、そのミスト雰囲気内においてイオンがミストと混合される。したがって、ミストに対してイオンをより多く帯電させることができる。
【０００９】
請求項３に記載の発明は、請求項２に記載の発明において、前記逆極性電極部は、前記ミスト吐出口に繋がるミストノズル内に支持されるとともに、前記逆極性電極部の先端側が前記ミストノズル内から前記ミスト吐出口を介して外部へと露出されていることを要旨とする。
【００１０】
この発明によれば、イオンが逆極性電極部に引き付けられながら、ミスト吐出口付近に向かって引き付けられるように移動する。よって、イオン吐出口から吐出されるイオンが、ミスト吐出口付近において、ミスト吐出口から吐出されたミストのミスト雰囲気内へ誘引されるとともに、そのミスト雰囲気内においてイオンがミストと混合される。したがって、ミストに対してイオンをより多く帯電させることができる。
【００１１】
請求項４に記載の発明は、請求項２又は請求項３に記載の発明において、前記逆極性電極部に流れる電荷量を検出する電荷量検出手段と、前記電荷量検出手段の検出結果に応じて前記逆極性電極部に流れる電荷量を調整することによって前記イオン吐出口から吐出されるイオンを誘引する誘引力を調整する誘引力調整手段とを備えたことを要旨とする。
【００１２】
逆極性電極部に流れる電荷量が少ない場合、逆極性電極部におけるイオン吐出口から吐出されるイオンを誘引する誘引力が小さすぎてしまい、イオン吐出口から吐出されたイオンをミスト吐出口から吐出されるミストのミスト雰囲気内へ誘引することができない。一方、逆極性電極部に流れる電荷量が多い場合は、逆極性電極部におけるイオン吐出口から吐出されるイオンを誘引する誘引力が大きすぎてしまい、イオン吐出口から吐出されたイオンがミスト吐出口から吐出されるミストの吐出方向と交差する方向に向かって不必要に引き付けられてしまう。すると、イオンは、ミスト雰囲気内においてミストと混合されることなく、そのミスト雰囲気内を通り過ぎてしまい、イオンをミストに対して帯電させることができなくなってしまう。しかし、この発明によれば、誘引力調整手段が、電荷量検出手段の検出結果に応じて逆極性電極部に流れる電荷量を調整することでイオン吐出口から吐出されるイオンを誘引する誘引力を調整する。よって、イオン吐出口から吐出されたイオンをミスト雰囲気内に誘引するために必要となる誘引力に調整することができる。すなわち、ミストに対してイオンをより多く帯電させることができる。
【００１３】
請求項５に記載の発明は、請求項１に記載の発明において、前記イオン移送手段は、前記イオン発生手段から発生されたイオンを前記イオン吐出口側に向かって送り出す風を送る送風手段であって、前記送風手段は、前記イオン発生手段を構成するイオン放電部よりも上流側に設けられていることを要旨とする。
【００１４】
この発明によれば、イオン放電部から放電されたイオンが、イオン放電部よりも上流側に設けられた送風手段から発生する風によってイオン吐出口に向かって移動するとともに、イオン吐出口からミストの吐出方向に向かって吐出される。よって、イオン吐出口から吐出されたイオンをミスト吐出口から吐出されたミストに向かって移送させることができ、ミストに対してイオンをより多く帯電させることができる。
【００１５】
請求項６に記載の発明は、請求項１に記載の発明において、前記イオン移送手段は、前記イオンと同じ極性を有した同一極性電極部であって、前記同一極性電極部は、前記イオン発生手段を構成するイオン放電部よりも上流側に設けられていることを要旨とする。
【００１６】
この発明によれば、イオン放電部から放電されたイオンと、イオン放電部よりも上流側に設けられた同一極性電極部とが同じ極性を有しているため、イオン放電部から放電されたイオンは、同一極性電極部と反発しあい、この斥力に伴ってイオン吐出口に向かって移動するとともに、イオン吐出口からミストの吐出方向に向かって吐出される。よって、イオン吐出口から吐出されたイオンをミスト吐出口から吐出されたミストに向かって移送させることができ、ミストに対してイオンをより多く帯電させることができる。
【発明の効果】
【００１７】
本発明によれば、ミストに対してイオンをより多く帯電させることができる。
【発明を実施するための最良の形態】
【００１８】
（第１実施形態）
以下、本発明を具体化した第１実施形態を図１にしたがって説明する。なお、以下の説明において「前」「後」「上」「下」「左」「右」は、ミスト発生装置１の使用者が、当該ミスト発生装置１を使用する際にミスト発生装置１を向いた状態を基準とした「前」「後」「上」「下」「左」「右」を示すものとする。
【００１９】
図１（ａ）に示すように、ミスト発生装置１の本体ケース２には、タンクホルダ３が設けられている。このタンクホルダ３には、水などの液体を供給するタンク４が着脱可能に設けられている。タンク４は、図示しない止水ピンが設けられた蓋部４ａにより給水用の開口部が閉止されるとともに、その蓋部４ａ（開口部）が下側となるように配設されている。タンクホルダ３には、止水ピンに対応する形状の図示しない突出ピンが設けられている。タンク４は、液体が注入された状態でタンクホルダ３に配設されることで、止水ピンが突出ピンにより押し込まれて水密性が解除され、タンク４内の液体が流出されるものであり、タンクホルダ３にはタンク４から流出した液体が貯留される。
【００２０】
タンクホルダ３は、液体供給路５を介して、本体ケース２内の下部に形成された液体溜り部６と接続されている。液体溜り部６には、液体供給路５を介してタンクホルダ３の液体が供給され、貯留されるようになっている。液体溜り部６の前後側面には、液体溜り部６に貯留された液体を加熱して沸騰させるヒータ７が設けられている。本実施形態では、液体溜り部６及びヒータ７がミストを発生させるミスト発生手段を構成している。液体溜り部６の上部には、本体ケース２の上下方向に沿って延びるミスト流路８が形成されている。
【００２１】
図１（ｂ）に示すように、ミスト流路８の上部には、前方へ向けて屈曲する屈曲部Ｋを介してミストノズル９が配設されており、このミストノズル９の先端には、ミストが吐出されるミスト吐出口９ｂが形成されている。屈曲部Ｋは、ミスト流路８を下方から上方に向けて通過するミストの進行方向を前方に向けて変更するようになっている。また、ミストノズル９の内側には、ミスト流路８を通過するミストをミスト吐出口９ｂから吐出させるミスト吐出路９ａが形成されている。そして、前記ヒータ７により液体溜り部６内の液体が加熱され、沸騰されることでミストノズル９のミスト吐出口９ｂからミストが吐出されるようになっている。図１（ａ）に示すように、ヒータ７は制御部３０と電気的に接続されるとともに、この制御部３０は、該ヒータ７に印加する電圧値を変更することにより、吐出させるミスト量を制御することが可能となっている。また、ヒータ７へ電圧を印加し続けた場合、タンク４内の液体がなくなり、液体溜り部６への液体供給が途絶えることとなる。この場合、液体溜り部６の水位が低下することにより、液体溜り部６内に設けられた図示しないフロースイッチが動作して、制御部３０がフロースイッチから送信される信号を受信するとともに、ヒータ７への電圧の印加を停止するように制御するようになっている。
【００２２】
そして、ミスト発生装置１の本体ケース２内においてミスト流路８（ミストノズル９）の上部には、マイナスイオンを発生させるイオン発生手段としてのコロナ放電部１０が設けられている。
【００２３】
図１（ｂ）に示すように、コロナ放電部１０は、高圧電源回路１１とイオン放電部としての針状の放電針１２とグランドに接続された半円筒形状のグランド電極１３とで構成されている。コロナ放電部１０を構成する放電針１２及びグランド電極１３は、ミストノズル９の上部に設けられ、先端にイオン吐出口１４ａが開口するイオンノズル１４内に配設されている。具体的に説明すると、イオンノズル１４内においてイオン吐出口１４ａ側には、グランド電極１３が配置されているとともに、このグランド電極１３より本体ケース２側には、放電針１２が配置されている。放電針１２は、イオンノズル１４の中心軸上に位置するように支持部１２ａにより支持されている。放電針１２の先端はグランド電極１３と対向するように、イオン吐出口１４ａ側に向いている。
【００２４】
そして、コロナ放電部１０では、高圧電源回路１１により放電針１２及びグランド電極１３間にマイナスの高電圧を印加することでコロナ放電を発生させ、マイナスイオンが発生するようになっている。コロナ放電部１０により発生したマイナスイオンは、イオン吐出口１４ａから吐出されるようになっている。吐出されたマイナスイオンは、ミストノズル９から吐出されたミストと混合されることで、ミストがマイナス帯電されるようになっている。なお、図１（ａ）に示すように、高圧電源回路１１は制御部３０と電気的に接続されるとともに、制御部３０によって、放電針１２及びグランド電極１３間に印加する電圧の量が制御されるようになっている。
【００２５】
図１（ｂ）に示すように、イオンノズル１４（イオン吐出口１４ａ）は、ミストノズル９（ミスト吐出口９ｂ）から所定範囲（１．５ｃｍ〜３ｃｍ）内の距離（本実施形態では２ｃｍ）離れた位置に配置されている。すなわち、イオン吐出口１４ａは、ミスト吐出口９ｂの近傍（付近）に配置されている。また、イオン吐出口１４ａ及びミスト吐出口９ｂは、上下方向に沿って並設されているとともに、イオンノズル１４（イオン吐出口１４ａ）が上方に、ミストノズル９（ミスト吐出口９ｂ）が下方に配置されている。また、図１（ｂ）に示すように、ミストノズル９のミストの吐出方向ｍ１は水平方向となっているとともに、イオンノズル１４（イオン吐出口１４ａ）の開口向きもミストの吐出方向ｍ１に対して平行な方向に向いている。
【００２６】
ミストノズル９の下部には、プラスの極性を有した逆極性電極部としてのプラス電極板２０が設けられている。プラス電極板２０は、イオンノズル１４（イオン吐出口１４ａ）及びミストノズル９（ミスト吐出口９ｂ）と上下方向に沿って同一直線上に位置するように並設されている。プラス電極板２０は、本体ケース２の側面２ａに対して直交する方向に突出された支持部２０ａに支持されるとともに、本実施形態においては、ミストの吐出方向ｍ１に対して平行な方向に直線状に突出するように設けられている。図１（ａ）に示すように、プラス電極板２０は、該プラス電極板２０にプラスの電荷を流すための電源２１と電気的に接続されるとともに、電源２１は制御部３０と電気的に接続されている。また、制御部３０には、プラス電極板２０に流れる電荷量を検出する電荷量検出手段としての電荷量検出器２２と電気的に接続されている。
【００２７】
次に、上述したミスト発生装置１の動作について説明する。
液体溜り部６に液体が貯留された状態において、まず、ヒータ７を作動させ、液体溜り部６内の液体を加熱させ、沸騰させる。これにより発生した水蒸気は、ミスト流路８を通過する際にミストとなる。そして、ミスト流路８を下方から上方に向けて通過するミストは、屈曲部Ｋにおいて前方へ進行方向が変更されるとともに、ミスト吐出路９ａに流入する。ミスト吐出路９ａに流入したミストは、ミスト吐出路９ａ内を進行することで、ミスト吐出口９ｂから本体ケース２の外に吐出される。
【００２８】
一方、コロナ放電部１０により発生したマイナスイオンは、図１における一点鎖線で示すマイナスイオンの移動経路Ｒ１のように、放電針１２の先端から放電されるとともにグランド電極１３に引き付けられるようにイオンノズル１４のイオン吐出口１４ａ側へ移動し、イオン吐出口１４ａから吐出されるようになっている。イオン吐出口１４ａから吐出されたマイナスイオンは、プラス電極板２０の存在により、ミストノズル９から吐出されるミストの吐出方向ｍ１と交差する方向に向かって引き付けられるように移動する。そして、イオン吐出口１４ａから吐出されたマイナスイオンが、ミスト吐出口９ｂから吐出されたミストのミスト雰囲気内へ誘引されるとともに、このミスト雰囲気内において、マイナスイオンがミストと混合される。このようにしてミストがマイナス帯電されるようになっている。すなわち、プラス電極板２０は、イオン吐出口１４ａから吐出されたマイナスイオンをミスト吐出口９ｂから吐出されたミストに向かって移送させるためのイオン移送手段として機能する。
【００２９】
また、電荷量検出器２２によって検出されるプラス電極板２０に流れる電荷量が、所定量よりも少ない場合、プラス電極板２０におけるイオン吐出口１４ａから吐出されるマイナスイオンを誘引する誘引力が小さすぎてしまう。そのため、イオン吐出口１４ａから吐出されたマイナスイオンをミスト吐出口９ｂから吐出されるミストのミスト雰囲気内へ誘引することができない。すると、イオン吐出口１４ａから吐出されたマイナスイオンは、ミスト雰囲気内の上方を浮遊することになり、マイナスイオンがミスト雰囲気内においてミストと混合されない。すなわち、マイナスイオンが帯電したミストを使用者の肌に向けて放出することができなくなり、肌のバリア機能が改善されない。ここで、所定量とは、プラス電極板２０において、イオン吐出口１４ａから吐出されるマイナスイオンをミスト雰囲気内へ誘引させるために必要となる誘引力を作りあげるための電荷量のことをいう。この場合、制御部３０は、プラス電極板２０に対して所定量の電荷が流れるように電源２１からプラス電極板２０へ流れる電荷量を増やすように調整する。よって、制御部３０は、プラス電極板２０における誘引力を、イオン吐出口１４ａから吐出されたマイナスイオンをミスト雰囲気内に誘引するために必要となる誘引力に調整することができ、イオン吐出口１４ａから吐出されたマイナスイオンをミスト雰囲気内にてミストと混合させることができる。すなわち、マイナスイオンが帯電したミストを使用者の肌に放出することができ、肌のバリア機能が改善される。
【００３０】
一方、電荷量検出器２２によって検出されるプラス電極板２０に流れる電荷量が、所定量よりも多い場合、プラス電極板２０におけるイオン吐出口１４ａから吐出されるマイナスイオンを誘引する誘引力が大きすぎてしまう。そのため、イオン吐出口１４ａから吐出されたマイナスイオンがミスト吐出口９ｂから吐出されるミストの吐出方向ｍ１と交差する方向に向かって不必要に引き付けられてしまう。すると、マイナスイオンは、ミスト雰囲気内においてミストと混合されることなく、そのミスト雰囲気内を通り過ぎてしまい、マイナスイオンをミストに対して帯電させることができなくなってしまう。すなわち、マイナスイオンが帯電したミストを使用者の肌に向けて放出することができなくなり、肌のバリア機能が改善されない。この場合、制御部３０は、プラス電極板２０に対して所定量の電荷が流れるように、電源２１からプラス電極板２０へ流れる電荷量を減らすように調整する。よって、制御部３０は、プラス電極板２０における誘引力を、イオン吐出口１４ａから吐出されたマイナスイオンをミスト雰囲気内に誘引するために必要となる誘引力に調整することができ、イオン吐出口１４ａから吐出されたマイナスイオンをミスト雰囲気内にてミストと混合させることができる。すなわち、マイナスイオンが帯電したミストを使用者の肌に放出することができ、肌のバリア機能が改善される。
【００３１】
このようにして、制御部３０は、プラス電極板２０における誘引力を、イオン吐出口１４ａから吐出されたマイナスイオンをミスト雰囲気内に誘引するために必要となる誘引力に調整することができる。すなわち、制御部３０は、電荷量検出器２２の検出結果に応じてプラス電極板２０に流れる電荷量を調整することによってイオン吐出口１４ａから吐出されるマイナスイオンを誘引する誘引力を調整する誘引力調整手段として機能する。
【００３２】
上記構成のミスト発生装置１によれば、マイナスイオンがプラス電極板２０に引き付けられながら、ミスト吐出口９ｂから吐出されるミストの吐出方向ｍ１と交差する方向に向かって移動する。よって、イオン吐出口１４ａから吐出されたマイナスイオンが、ミスト吐出口９ｂから吐出されたミストのミスト雰囲気内へ誘引されるとともに、そのミスト雰囲気内において、マイナスイオンがミストと混合される。したがって、ミストに対してマイナスイオンをより多く帯電させることができる。
【００３３】
次に、マイナスイオンを帯電させたミストによる使用者の皮膚（肌）への効果について説明する。
一般に人間の表皮は、基底層、有棘層、顆粒層、及び角質層から構成されており、角質層が皮膚の最も外層側を構成している。角質層は、角質細胞と、この角質細胞の間を埋めるセラミドを主成分とした細胞間脂質により構成されている。十分な量のセラミド（細胞間脂質）によって角質細胞間が満たされている場合、角質層は、バリア性を発揮して皮膚からの水分の蒸散を抑制できるとともに、水分を保持することができる。その一方で、セラミドが不足すると、バリア性が低下して皮膚から水分が蒸散しやすくなるとともに、水分の保持量が低下する。
【００３４】
マイナスイオンを帯電させたミストが使用者の肌に接触すると、使用者の皮膚の表面がマイナス帯電されるとともに、ミストにより水分が補給される。そして、皮膚表面がマイナス帯電されると、皮膚表面の微弱なマイナス電位を感知して顆粒層からセラミドの前駆体が角質層に向けて放出されるとともに、最終的にセラミドとなって角質細胞間を埋める。これにより、角質層において細胞間脂質量を増加させ、肌のバリア機能を改善（向上）するとともに、肌の水分保持量を増加（保湿力を向上）させることができる。そして、使用者の肌の肌理（キメ）を改善することができる。
【００３５】
以上のことから、肌のバリア機能を改善するとともに保湿力を向上させるためには、より多くのマイナスイオンをミストに帯電させ、使用者の肌に付着させることが望ましい。このため、ミスト吐出口９ｂとイオン吐出口１４ａとをできるだけ相互に近接した位置に配設し、マイナスイオンをミストに帯電させ易くすることが好ましい。その一方で、ミスト吐出口９ｂとイオン吐出口１４ａとを近接させることで、イオン吐出口１４ａからミストが流入してコロナ放電部１０付近の湿度が上昇し、コロナ放電部１０におけるマイナスイオンの生成量が減少するという問題が生じ得る。しかしながら、本実施形態のミスト発生装置１によれば、ミスト吐出口９ｂ及びイオン吐出口１４ａは、所定範囲内の距離離れた位置に配置されており、ミスト吐出口９ｂから吐出されたミストがイオン吐出口１４ａへ流入することを回避している。さらには、プラス電極板２０によってイオン吐出口１４ａから吐出されたマイナスイオンをミスト吐出口９ｂから吐出されたミストのミスト雰囲気内へ誘引することによって、ミストに対してマイナスイオンを帯電させるようにしている。すなわち、コロナ放電部１０付近の湿度がミストによって上昇することを抑制し、安定してコロナ放電をさせることでマイナスイオンの生成量が減少しないようにし、マイナスイオンを安定して発生させるとともに発生させたマイナスイオンをミストに帯電させることができる。そして、マイナスイオンが帯電したミストを使用者の肌に付着させることで、肌のバリア機能を改善するとともに保湿力を向上させることができる。
【００３６】
上記実施形態では以下の効果を得ることができる。
（１）プラス電極板２０が、イオンノズル１４（イオン吐出口１４ａ）及びミストノズル９（ミスト吐出口９ｂ）と上下方向に沿って同一直線上に位置するようにミストノズル９の下部に並設されている。よって、イオン吐出口１４ａから吐出されたマイナスイオンがプラス電極板２０に引き付けられながら、ミスト吐出口９ｂから吐出されるミストの吐出方向ｍ１と交差する方向に向かって移動する。したがって、イオン吐出口１４ａから吐出されるマイナスイオンが、ミスト吐出口９ｂから吐出されるミストのミスト雰囲気内へ誘引されるとともに、そのミスト雰囲気内において、マイナスイオンがミストと混合される。したがって、ミストに対してマイナスイオンをより多く帯電させることができる。
【００３７】
（２）制御部３０が、プラス電極板２０における誘引力を、イオン吐出口１４ａから吐出されたマイナスイオンをミスト雰囲気内に誘引するために必要となる誘引力に調整することで、イオン吐出口１４ａから吐出されるマイナスイオンが、ミスト吐出口９ｂから吐出されるミストのミスト雰囲気内へ誘引されるようにすることができる。よって、マイナスイオンがミスト雰囲気内においてミストと混合され、マイナスイオンが帯電したミストを使用者の肌に放出することができ、肌のバリア機能が改善される。
【００３８】
（３）上記構成のミスト発生装置１を用いれば、マイナスイオンを多く帯びたミストを使用者の肌に向けて放出することができる。マイナスイオンを多く帯びたミストを使用者の肌に放出することで、角質層表面にマイナスの電荷が多く帯電し、表皮顆粒層からセラミドなどの脂質成分が角質細胞間に多く放出される。そして、セラミドの放出量が増えることにより、角質層表面にセラミドがより一層分散されるとともに角質細胞間を埋めることで、肌の表面からの水分の蒸散をさらに防ぐことができ、肌のバリア機能が向上する。
【００３９】
（４）プラス電極板２０を設けることで、ミスト吐出口９ｂ及びイオン吐出口１４ａが、所定範囲内の距離離れた位置に配置されていたとしてもイオン吐出口１４ａから吐出されるマイナスイオンが、ミスト吐出口９ｂから吐出されるミストのミスト雰囲気内へ誘引されるとともに、そのミスト雰囲気内において、マイナスイオンがミストと混合される。よって、ミスト吐出口９ｂから吐出されたミストがイオン吐出口１４ａに流入することを回避しつつ、ミストに対してマイナスイオンを帯電させることができる。すなわち、コロナ放電部１０付近の湿度がミストによって上昇することを抑制し、安定してコロナ放電をさせることでマイナスイオンの生成量が減少しないようにし、マイナスイオンを安定して発生させるとともに発生させたマイナスイオンをミストに帯電させることができる。そして、マイナスイオンが帯電したミストを使用者の肌に付着させることで、肌のバリア機能を改善するとともに保湿力を向上させることができる。
【００４０】
（第２実施形態）
以下、本発明を具体化した第２実施形態を図２にしたがって説明する。なお、以下に説明する実施形態では、既に説明した実施形態と同一構成について同一符号を付すなどして、その重複する説明を省略又は簡略する。
【００４１】
図２に示すように、プラス電極板２０は、ミストノズル９におけるミスト吐出路９ａ内に支持されるとともに、プラス電極板２０の先端側がミストノズル９内からミスト吐出口９ｂを介して外部へと露出されている。プラス電極板２０は、ミストノズル９の中心軸上に位置するように支持部２０ａにより支持されている。
【００４２】
上記構成のミスト発生装置１によれば、図２における一点鎖線で示すマイナスイオンの移動経路Ｒ２のように、マイナスイオンがプラス電極板２０に引き付けられながら、ミスト吐出口９ｂ付近に向かって引き付けられるように移動する。よって、イオン吐出口１４ａから吐出されたマイナスイオンが、ミスト吐出口９ｂ付近において、ミスト吐出口９ｂから吐出されたミストのミスト雰囲気内へ誘引されるとともに、そのミスト雰囲気内において、マイナスイオンがミストと混合される。したがって、ミストに対してマイナスイオンをより多く帯電させることができる。
【００４３】
したがって、本実施形態によれば、第１実施形態の効果（２）〜（４）と同様の効果に加えて、以下に示す効果を得ることができる。
（５）プラス電極板２０は、ミストノズル９におけるミスト吐出路９ａ内に支持されるとともに、プラス電極板２０の先端側がミストノズル９内からミスト吐出口９ｂを介して外部へと露出されている。よって、イオン吐出口１４ａから吐出されたマイナスイオンが、ミスト吐出口９ｂ付近において、ミスト吐出口９ｂから吐出されたミストのミスト雰囲気内へ誘引されるとともに、そのミスト雰囲気内において、マイナスイオンがミストと混合される。したがって、ミストに対してマイナスイオンをより多く帯電させることができる。
【００４４】
（第３実施形態）
以下、本発明を具体化した第３実施形態を図３にしたがって説明する。
図３に示すように、本体ケース２の壁面（本実施形態では、本体ケース２の上壁２ｂ）には空気を吸入するための吸気孔４１が形成されている。この吸気孔４１とイオンノズル１４とは、連通管４２を介して連通している。この連通管４２内において、放電針１２よりも上流側には、放電針１２から放電されたマイナスイオンをイオン吐出口１４ａ側に向かって送り出す風を送るファン４０が設けられている。
【００４５】
吸気孔４１からファン４０に向かって空気が送り込まれるとともに、ファン４０の駆動によって発生する風によって空気が放電針１２側へ送り込まれる。そして、ファン４０から送り込まれる空気によって、図３における一点鎖線で示すマイナスイオンの移動経路Ｒ３のように、放電針１２から放電されたマイナスイオンがイオン吐出口１４ａ側に向かって移動し、イオン吐出口１４ａから水平方向へ吐出される。
【００４６】
一方、ミストノズル９０は、ミスト流路８に対して斜め上方に傾いている。ミストノズル９０は、マイナスイオンの吐出方向とミストの吐出方向ｍ１との交差角度αが、所定の範囲（１５°〜１２０°）内の角度（本実施形態では３０°）となるように、斜め上方にミストを吐出するように設定されている。
【００４７】
上記構成のミスト発生装置１によれば、ファン４０によってイオン吐出口１４ａから水平方向へ送り出されたマイナスイオンが、ミストの吐出方向ｍ１に向かって移動する。よって、イオン吐出口１４ａから吐出されたマイナスイオンが、ミスト吐出口９ｂから吐出されたミストのミスト雰囲気内に移送され、そのミスト雰囲気内において、マイナスイオンがミストと混合される。したがって、マイナスイオンをミスト吐出口９ｂから吐出されたミストに向かって移送させることができ、ミストに対してマイナスイオンをより多く帯電させることができる。すなわち、ファン４０は、コロナ放電部１０から発生されたマイナスイオンをイオン吐出口１４ａ側に向かって送り出す風を送る送風手段であり、イオン移送手段として機能する。
【００４８】
したがって、本実施形態によれば、第１実施形態の効果（３）及び（４）と同様の効果に加えて、以下に示す効果を得ることができる。
（６）放電針１２よりも上流側には、放電針１２から放電されたマイナスイオンをイオン吐出口１４ａ側に向かって送り出す風を送るファン４０が設けられている。よって、イオン吐出口１４ａから吐出されたマイナスイオンが、ミスト吐出口９ｂから吐出されたミストのミスト雰囲気内に移送され、そのミスト雰囲気内において、マイナスイオンがミストと混合される。したがって、マイナスイオンをミスト吐出口９ｂから吐出されたミストに向かって移送させることができ、ミストに対してマイナスイオンをより多く帯電させることができる。
【００４９】
（第４実施形態）
以下、本発明を具体化した第４実施形態を図４にしたがって説明する。
図４に示すように、放電針１２よりも上流側には、放電針１２から放電されたマイナスイオンと同じ極性を有した同一極性電極部としてのマイナス電極板５０が設けられている。マイナス電極板５０は高圧電源回路１１と電気的に接続され、マイナスの電極が生じるように高圧電源回路１１からマイナスの電圧が印加されるようになっている。
【００５０】
マイナスイオンとマイナス電極板５０とが同じ極性を有しているため、放電針１２から放電されたマイナスイオンは、マイナス電極板５０と反発しあい、この斥力に伴って図４における一点鎖線で示すマイナスイオンの移動経路Ｒ４のように、イオン吐出口１４ａ側に向かって移動するとともに、イオン吐出口１４ａから水平方向へ吐出される。
【００５１】
一方、ミストノズル９０は、ミスト流路８に対して斜め上方に傾いている。ミストノズル９０は、マイナスイオンの吐出方向とミストの吐出方向ｍ１との交差角度αが、所定の範囲（１５°〜１２０°）内の角度（本実施形態では３０°）となるように、斜め上方にミストを吐出するように設定されている。
【００５２】
上記構成のミスト発生装置１によれば、放電針１２から放電されたマイナスイオンは、マイナス電極板５０と反発しあい、この斥力に伴ってイオン吐出口１４ａから水平方向へ送り出され、ミストの吐出方向ｍ１に向かって移動する。よって、イオン吐出口１４ａから吐出されたマイナスイオンが、ミスト吐出口９ｂから吐出されたミストのミスト雰囲気内に移送され、そのミスト雰囲気内において、マイナスイオンがミストと混合される。したがって、マイナスイオンをミスト吐出口９ｂから吐出されたミストに向かって移送させることができ、ミストに対してマイナスイオンをより多く帯電させることができる。すなわち、マイナス電極板５０は、イオン吐出口１４ａから吐出されたマイナスイオンをミスト吐出口９ｂから吐出されたミストに向かって移送させるためのイオン移送手段として機能する。
【００５３】
したがって、本実施形態によれば、第１実施形態の効果（３）及び（４）と同様の効果に加えて、以下に示す効果を得ることができる。
（７）放電針１２よりも上流側には、放電針１２から放電されたマイナスイオンと同じ極性を有したマイナス電極板５０が設けられている。よって、放電針１２から放電されたマイナスイオンとマイナス電極板５０との斥力によってイオン吐出口１４ａから吐出されたマイナスイオンが、ミスト吐出口９ｂから吐出されたミストのミスト雰囲気内に移送され、そのミスト雰囲気内において、マイナスイオンがミストと混合される。したがって、マイナスイオンをミスト吐出口９ｂから吐出されたミストに向かって移送させることができ、ミストに対してマイナスイオンをより多く帯電させることができる。
【００５４】
なお、上記実施形態は以下のように変更してもよい。
○  第１及び第２実施形態において、制御部３０を電荷量検出器２２の検出結果に応じてプラス電極板２０に流れる電荷量を調整することによってイオン吐出口１４ａから吐出されるマイナスイオンを誘引する誘引力を調整する誘引力調整手段として機能させなくてもよい。この場合、プラス電極板２０における誘引力を、イオン吐出口１４ａから吐出されたマイナスイオンをミスト雰囲気内に誘引するために必要となる誘引力となるように、常に一定の電荷量をプラス電極板２０に流すようにする。
【００５５】
○  第３及び第４実施形態において、ミストの吐出方向ｍ１を水平方向とするとともに、マイナスイオンの吐出方向とミストの吐出方向ｍ１との交差角度αが、所定の範囲（１５°〜１２０°）内の角度（本実施形態では３０°）となるように、斜め下方にマイナスイオンを吐出するようにイオンノズル１４を設定してもよい。
【００５６】
○  各実施形態において、ミスト発生手段としてヒータ７により液体溜り部６内の液体を加熱沸騰させる方法を採用しているが、これ以外の方法でミストを発生させるようにしてもよい。例えば、液体を超音波にて霧化させる方法や、霧吹きなどの原理で知られるベンチュリ効果を用いた方法などによってミストを発生させてもよい。
【００５７】
○  各実施形態において、イオン発生手段から発生するイオンは、マイナスイオンに限らず、例えば、プラスイオンを発生させてもよい。この場合、第１及び第２実施形態においては、逆極性電極部としてプラスイオンとは逆の極性を有したマイナス電極板を用いる。
【００５８】
以下の技術的思想（発明）は前記実施形態から把握できる。
（１）前記イオンはマイナスイオンである請求項１〜請求項６のいずれか一項に記載のミスト発生装置。
【図面の簡単な説明】
【００５９】
【図１】（ａ）は第１実施形態におけるミスト発生装置の縦断面図、（ｂ）はミストノズル及びイオンノズルの近傍を拡大した拡大断面図。
【図２】第２実施形態におけるミストノズル及びイオンノズルの近傍を拡大した拡大断面図。
【図３】第３実施形態におけるミストノズル及びイオンノズルの近傍を拡大した拡大断面図。
【図４】第４実施形態におけるミストノズル及びイオンノズルの近傍を拡大した拡大断面図。
【符号の説明】
【００６０】
１…ミスト発生装置、６…ミスト発生手段を構成する液体溜り部、７…ミスト発生手段を構成するヒータ、９，９０…ミストノズル、９ｂ…ミスト吐出口、１０…イオン発生手段としてのコロナ放電部、１２…イオン放電部としての放電針、１４ａ…イオン吐出口、２０…イオン移送手段として機能する逆極性電極部としてのプラス電極板、２２…電荷量検出手段としての電荷量検出器、３０…誘引力調整手段として機能する制御部、４０…送風手段としてのファン、５０…イオン移送手段として機能する同一極性電極部としてのマイナス電極板。
【図１】
2010046415.tif 000003
【図２】
2010046415.tif 000004
【図３】
2010046415.tif 000005
【図４】
2010046415.tif 000006